【事件の表示】
　上記当事者間の登録第８７２４２８号商標の登録取消審判事件について、次のとおり審決する。
【結　論】
　本件審判の請求は、成り立たない。
　審判費用は、請求人の負担とする。
【理　由】
第１　本件商標 
　登録第８７２４２８号商標（以下、「本件商標」という。）は、「マッハ」の文字を横書きにしてなり、昭和４４年１月２２日登録出願、第１３類「手動利器、手動工具、金具（他の類に属するものを除く）」を指定商品として、同４５年９月８日に設定登録されたものである。その後、同５５年１２月２３日、平成２年１１月２６日及び同１２年８月８日の３回にわたり商標権の存続期間の更新登録がされたものである。
　
第２　請求人の主張
　請求人は、本件商標の指定商品中「手動利器」について、その登録を取り消す、審判費用は被請求人の負担とする、との審決を求め、その理由及び答弁に対する弁駁を要旨次のように述べ、証拠方法として、甲第１号証ないし甲第５号証を提出した。
１　請求の理由
　本件商標は、被請求人、専用使用権者又は通常使用権者のいずれもが、本件商標を継続して３年以上日本国内において本件商標の指定商品中「手動利器」に使用した事実がない。
　したがって、本件商標は、商標法第５０条第１項の要件を充足し本件商標の登録は、取消されるべきである。
２　答弁に対する弁駁
（１）被請求人は、被請求人のトイレタリー事業を扱う株式会社エフティ資生堂（以下、「エフティ資生堂」という。）を通常使用権者として、本件商標と社会通念上同一の商標を、請求に係る商品中「レザー」 「ハンディレザー」について、本件審判の請求の登録前３年以内に使用している事実があるから本件商標は取消されるべきではない旨主張している。
　しかし、この主張は、本件商標の使用についての主張として不適切なものである。何故なら被請求人は、エフティ資生堂が被請求人（弁駁書において「請求人」となっているが、「被請求人」の誤り）の１００％子会社であると立証していないし、また、本件商標「マッハ」は商標「レザー」 「ハンディレザー」とは無関係な商標だからである。
（２）被請求人は、エフティ資生堂が本件商標の通常使用権者であると主張しているが、商標原簿上その登録はない。被請求人は更にエフティ資生堂が本件商標権者の１００％出資の連結子会社で、本件商標の使用権を与えられている旨述べている。
　しかし、乙第１号証及び乙第２号証をみるも、その「有価証券報告書」には「連結計算書類」は一切付されておらず、またトイレタリー事業部の担当は数社に分けそれぞれ為されておりその品目までは書かれていない。してみると、被請求人の主張は証拠によらない、単なる主張にすぎないことが明らかである。このように被請求人の主張は、それを裏付けるに足る証拠は何もないのみならず「契約自由の原則」 を主張しなければならない不当なものとなっている。
（３）被請求人は、本件商標を付した「レザー」 「ハンディレザー」 を主に業務用化粧品や客室用アメニティーグッズを販売する被請求人のグループ企業である資生堂アメニティーグッズ株式会社（以下、「資生堂アメニティーグッズ」という。）に販売し、更にその他鹿児島共和株式会社等の卸売や被請求人のグループ企業である株式会社ザ・ギンザ等に販売しているとし、その事実関係を示すため乙第５号証ないし乙第９号証を提出している。
　よくみると、被請求人の子会社エフティ資生堂がトイレタリー事業を行い、その製品を同じく子会社のアメニティーグッズが同社カタログに収載して同社のトイレタリー商品として販売しているものであることが示されている。ここでの商標使用はすべて子会社によるもので、被請求人は実質的使用関与を何等していない。
　もし被請求人が法的使用の主張を行うことを欲するならば、使用権の設定登録をするか、あるいは権利共有にすれば容易に問題は処理することができるはずであるにもかかわらず、それ等手続をしないでいることは被請求人の使用関与がないことがその理由であるとみることができる。
（４）さらに、被請求人が証拠上の指摘としてなす商標使用記載例をみてみると、それらはいずれも本件商標には当たらないものである。
　先ず、乙第５号証の記載例は、「【６】（黒丸内に「６」の数字が白抜きで配されている。）８２８５９０　レザー（マッハ３　１枚刃）」及び「【１３】（黒丸内に「１３」の数字が白抜きで配されている。）８２８９３０　レザー（マッハ３　１枚刃）バラ」である。
　これについて被請求人は、「マッハ３」の部分が本件商標の使用であるとしている。しかし、本件商標は、甲第２号証で明らかなとおり「マッハ」を片仮名で書いたものである。したがって、被請求人の挙示するこれ等の例は本件商標とは異なる別の商標であり、本件商標の使用には当たらないものである。
　また、乙第６号証におけるその他５つの使用例として被請求人が挙げるところは乙第５号証における使用例と同じ態様であるから、ここにも本件商標の使用例がないことが明らかである。
　さらに、乙第７号証における事例も何の意味か不明の「３」の文字を付したものでそれが本件商標と相違するものであることはいうまでもない。しかし、実質的理由をみると、請求人のかみそりは技術の革新により３枚刃の商品を導出しているのに対し、被請求人のかみそりは１枚刃の製品である。そのことは両者の相違をエフティ資生堂において十分に承知しているところと思われる。これと趣きを異にした乙第１０号証の審決を本件に適用することは妥当でない。
（５）乙第７号証のカタログの一部を拡大コピーしたものについて、被請求人は、商標法第２条第３項第１号の使用に該当する旨述べている。
　しかし、ここで問題なのは何が商標かであり、それは客観的に決めなければならないものである。もし「３」 「スリー」が商品記号であれば「マッハ」は「音速」ということになろう。結局問題は被請求人の使用があるのかが重要であり、それ以外の点は問題とする余地がほとんどないものである。
　さらに、平成１１年審判第３０７９２号審決において不使用取消が認められなかった理由は、静かなドア（カームの音訳）についてであり、それは本件と異なった事案である。
（６）エフティ資生堂から鹿児島共和株式会社等への売上伝票（乙第８号証）は、商品コード番号を数字で表示したにすぎないものでそこに商標自体の使用は一切認められない。結局被請求人の商標使用はこれを認めることができない。
　なお、最後に、乙第３号証カタログ中かみそりは有名な第３者のものが記載されており（シック、ＳＣＨＩＣＫ)(甲第３号証、商標原簿、（甲第４号証、商標公報）、カタログ商品が誰の製造に係るものかカタログ自体から不明な使用例となっている。したがって、このカタログをもって被請求人の商標使用を認めることはこれまた不可能なところである。
（７）さらに、本件商標に関しそれが商標権者によって使用されているものでないことをインターネットによる資生堂アメニティグッズのカンパニープロフィールの説明において明記し、「さらに当社（アメニティグッズ）は“ご利用される方に快適をお届けする”ことをコンセプトに、資生堂製品にかぎらず、ホテルの客室用アメニティーグッズやパウダールーム用の小物・雑貨等も幅広く品揃えしており、皆さまの仕入業務のお役に立てるものと存じます。」と述べて実状を説明している（甲第５号証）。してみると、被請求人のアメニティーグッズのカタログにそれら商品がすべからく記載されているとする被請求人の主張は明らかに誤ったもので、その主張の信憑性に欠けるものである。
　　
第３　被請求人の答弁
　被請求人は、結論と同旨の審決を求めると答弁し、その理由を要旨次のように述べ、証拠方法として、乙第１号証ないし乙第１１号証（枝番を含む。）を提出した。
１　以下に述べるとおり、被請求人は、被請求人の１００％子会社であり、被請求人のトイレタリー事業を扱うエフティ資生堂を通常使用権者として、本件商標と社会通念上同一の商標を、請求に係る商品中「レザー」「ハンディレザー」について、本件審判の請求の登録前３年以内に使用している事実がある。
２　本件商標の通常使用権者について
　本件商標の使用者であるエフティ資生堂は、商標権者である被請求人の１００％出資の連結子会社であり（乙第１号証及び乙第２号証）、被請求人は、かかる１００％出資子会社による本件商標の使用について使用許諾を与えている。したがって、エフティ資生堂が本件商標の通常使用権者である。
　なお、被請求人とエフティ資生堂との間で書面による使用許諾契約はないが、取引の経験則上１００％の資本を有する子会社に自己の登録商標が付された商品を販売させるにあたって敢えて書面で使用許諾契約を締結することはないのが通例であり、被請求人もこれに倣ったものである。また、そもそも使用許諾は、商標権者と使用権者の意思表示の合意によって成立し、契約自由の原則により何らの方式も必要としない以上、書面による使用許諾契約が存在しないことは、特に問題とならない。
３　本件商標の使用の事実及び使用の証明
　本件商標の通常使用権者であるエフティ資生堂は、本件商標を付した「レザー」「ハンディレザー」を主に業務用化粧品や客室用アメニティーグッズを販売する被請求人のグループ企業である資生堂アメニティグッズ（乙第３号証）に販売するほか、その他鹿児島共和株式会社（乙第４号証）等の卸売や同じく被請求人のグループ企業である株式会社ザ・ギンザ等に販売している。
　その事実は、以下の乙第５号証ないし乙第９号証より明らかである。
（１）資生堂アメニティグッズ作成の商品カタログ
　乙第５号証及び乙第６号証は、資生堂アメニティグッズが本件商標の付された商品を販売するために使用するカタログの写しであり、乙第５号証は２０００年９月から、乙第６号証は２００３年６月から使用されているものである。
　乙第５号証には、以下の記載がある。
　「【６】（黒丸内に「６」の数字が白抜きで配されている。）８２８５９０　レザー（マッハ３　１枚刃）」
　「【１３】（黒丸内に「１３」の数字が白抜きで配されている。）８２８９３０　レザー（マッハ３　１枚刃）バラ」
　また、乙第６号証には、以下の記載がある。
　４頁：「【１６】（黒丸内に「１６」の数字が白抜きで配されている。）Ｒ１０９０１　ＦＴＳレザーマッハ３（Ｈ）　ハコ」
　１２頁：「１ヶ函　　 Ｒ１０９０１　ＦＴＳレザーマッハ３（Ｈ）／業務用バラ Ｒ１１９０７　ＦＴＳレザーマッハ３（バラ）」
　４４頁：「Ｒ１０９０１　ＦＴＳレザーマッハ３（Ｈ）１ヶ函／Ｒ１１９０７　ＦＴＳレザーマッハ３ バラ」
　上記カタログ記載の商標のうち、「ＦＴＳ」は通常使用権者である「エフティ資生堂」を表すもの、「レザー」部分はかみそりを表す英語の「ＲＡＺＯＲ」をカタカナ読みしたものであり、商品の普通名称を表す部分である。また数字の「３」のアラビア数字部分は、一般に商品の記号、符号として取引上類型的に使用され、自他商品識別力のない部分と認識されるから、カタログに使用されている文字のうち、カタカナ「マッハ」部分が商標として使用されている部分となる。そして、かかる「マッハ」の表示は、本件商標の表示態様と同一である。
　なお、平成１１年審判第８４７１号（乙第１０号証）においては、「Ｄｐｒｏ３」からなる商標について「『３』の数字部分がこれら使途に用いられる記号、符号と認識し把握される」と認定されていることからも、上記判断は妥当である。
　したがって、上記カタログ記載の商標の使用は、本件商標と社会通念上同一の商標の使用（商標法第２条第３項第８号）に該当する。
　なお、乙第７号証として、上記カタログで販売されている商品の拡大コピーを提出する。かかる箱の裏面には、以下の記載があり、かかる使用は、商標法第２条第３項第１号の使用に該当する。
「エフティ資生堂レザー／マッハ３／ハンディレザー」
　上記使用商標「マッハ３」のうち、「３」の数字部分は、上述したとおり、一般に商品の記号、符号として使用され、自他商品識別力のない部分と認識されるから、「マッハ」部分が商標として使用されている部分となり、かかる「マッハ」の表示は、本件商標の表示態様と同一である。
　したがって、上記使用商標は、本件商標と社会通念上同一の商標の使用に該当する。また、かかる点については、以下の使用が社会通念上同一の使用と認められた審決（平成１１年審判第３０７９２号，乙第１１号証）に鑑みても、妥当である。
　なお、商品に使用される商標は、常に登録商標そのものが使用されるものとは限らず、当該登録商標に商品の記号、符号等を付加したりして使用することは、取引の実情に照らして明らかであり、このことは本件商標の指定商品を取り扱う分野のみならず、広く商品一般について行われているところである。
　さらに、上記商品「レザー」「ハンディレザー」は、請求に係る商品「かみそり」に含まれていることは明らかである。
（２）エフティ資生堂から鹿児島共和株式会社等への売上伝票
　乙第８号証は、品番「８２８９３０」又は「８２８５９０」の商品が鹿児島共和株式会社、ダイカ株式会社秋田支店、株式会社ザ・ギンザヘ取引されたことを示すエフティ資生堂の売上伝票である。
　乙第５号証の商品カタログから明らかなとおり、本件商標が付された商品「レザー」「ハンディレザー」の品番は「８２８５９０」もしくは「８２８９３０」であるから、かかる売上伝票より、上記カタログ掲載の各品番に対応する各商品が取引されたことが客観的に明らかである。
　また、売上伝票に記載の日付もそれぞれ「０２０９２５」（２００２．０９．２５）、「０３０１０８」（２００３．１．８）、「０３０４０３」（２００３．４．３）、「０２１０２２」（２００２．１０．２２）、「０３０６１１」（２００３．６．１１）となっており、これらはいずれも本件審判の請求の登録前３年以内のものである。
　なお、乙第５号証のカタログは、乙第６号証のカタログが発行される２００３年６月まで使用されていたものであり、その期間の本件商標が付された商品「レザー」「ハンディレザー」の取引は、かかる品番「８２８５９０」もしくは「８２８９３０」で取引されていたものである。
　また、乙第９号証は、上記取引を示すエフティ資生堂ロジスティクス部作成の売上げ表一覧であり、上記の取引がされていることを示すものである。
　　　
第４　当審の判断
１　乙第１号証及び乙第２号証の記載内容によれば、エフティ資生堂は、議決権の所有割合１００％の被請求人の連結子会社であることが認められる。また、かかる関係を有する会社間にあって商標の使用許諾をする場合に、黙示ないし口頭等による許諾が行われていることも一般的な実情といい得るところである。
　しかして、前記乙号証と被請求人の主張を総合すれば、エフティ資生堂は、被請求人から本件商標の使用について許諾を受けた者、通常使用権者と認められるというのが相当である。
　なお、連結子会社について、商法上、連結計算書類の作成義務があるとしても、本件審判において同書類が示されないことにより、前記認定を左右するものとはいえない。
２　乙第３号証ないし乙第９号証によれば、以下の事実が認められる。
（１）乙第３号証は、資生堂アメニティグッズのホームページの写しであるところ、この「会社概要」によれば、同社は被請求人のグループ企業の一であること、同社が業務用化粧品や客室用アメニティーグッズを販売すること、被請求人の製品を取り扱うことが認められ、乙第９号証をも併せみれば、エフティ資生堂の取引先であることが認められる。
　そして、「取り扱い商品」欄の中には、「ＦＴＳレザーマッハ３（Ｈ） １ヶ函」「ＦＴＳレザーマッハ３　バラ」の表示とともに各商品の実物の写真が掲載されている。
 （２）乙第５号証は、資生堂アメニティグッズの商品カタログの写しであるところ、その２枚目には、「８２８５９０　レザー（マッハ３　一枚刃）紙箱入」「８２８９３０　レザー（マッハ３　一枚刃）バラ」の記載があり、これに対応した商品の実物の写真が掲載されている。そして、その最下段末尾には「２０００．９」の表示があり、同カタログが２０００年９月に作成されたものと推認される。
（３）乙第６号証は、資生堂アメニティグッズの商品カタログの写しであるところ、その４頁には「ＦＴＳレザーマッハ３（Ｈ）ハコ」の記載とともに、これに対応した商品の実物の写真が掲載されている。また、同１２頁には「ＦＴＳレザーマッハ３（Ｈ）」の記載とその商品実物が掲載されている。さらに、同４４頁には、「ＦＴＳレザーマッハ３（Ｈ）１ヶ函」「ＦＴＳレザーマッハ３　バラ」の記載がある。そして、同カタログの後ろから２枚目の最下段の右端に「０３．６」の表示があり、これより、同カタログが２００３年６月に作成されたものと推認される。
（４）乙第７号証は、商品実物の写しと認められるところ、その商品包装の裏面には、「エフティ資生堂レザー」の文字の下段に「マッハ３」と「＜ハンディレザー＞」とが二段に表示されており、その下に図案化した欧文字とともに「株式会社エフティ資生堂」と「東京都中央区銀座７−５−５」の記載を認めることができる。そして、下段の商品実物の写しは、包装の表面に表された青色系の四角を「Ｈ」状にした図形からして、乙第６号証にいう「Ｈマークシリーズ」の一を示したとみられるものである。
（５）本件商標は、「マッハ」の文字よりなるものである。そして、乙第５号証に示された商標「マッハ３」はその構成中「３」が商品の品番等として理解されるから、自他商品の識別機能を果たす主要部は「マッハ」にあるというのが相当である。
　してみれば、当該主要な部分は、本件商標と同じ文字をもって構成されるものであり、かつ、称呼を同じにするものであるから、前記の商標は、社会通念上本件商標と同一の商標と認めて差し支えないものというべきである。　
　さらに、乙第７号証に示された商標は、その表示中「＜ハンディレザー＞」はハンディタイプのレザーを看取させ、商品の品質を表したと理解されるものであり、また、「３」は商品の品番等として理解されるから、この場合には、自他商品の識別機能を果たす主要部は「マッハ」にあるというのが相当である。してみると、当該主要な部分は、本件商標と同じ文字をもって構成されるものであり、かつ、称呼を同じにするものであって、さらに、他の文字や図形から独立して自他商品の識別機能を果たし得るといいうるものであるから、前記の商標は、社会通念上本件商標と同一の商標と認めて差し支えないものというべきである。　
（６）乙第８号証の１ないし５は、いずもエフティ資生堂の売上伝票の写しである。そして、乙第８号証の１ないし同３は鹿児島共和株式会社との間の売上に係るものであるところ、同伝票の商品コード／品名の欄には「レザーホテルヨウバラ１（Ｎ）」とともに「８２８９３０」の表示があり、この番号は乙第５号証に示された商品の番号と共通の番号であることから、同商品を示したものとみるのが相当である。また、年月日の欄には「０２０９２５」の記載が認められ、２００２年９月２５日を示すものとみるのが相当である。
　さらに、乙第８号証の４及び５をみると、前者は、エフティ資生堂とダイカ株式会社との間の、また、後者は、株式会社ザ・ギンザとの間の売上に係るものであるところ、いずれも、商品コード／品名の欄には「レザーホテルヨウ １マイバ」とともに「８２８５９０」の表示があり、この番号は乙第５号証に示された商品の番号と共通の番号であることから、同商品を示したものとみるのが相当である。また、年月日の欄にはそれぞれ「０２１０２２」「０３０６１１」の記載が認められ、２００２年１０月２２日、２００３年６月１１日を示すものとみるのが相当である。
　そして、上記の事項は、乙第９号証のそれぞれの取引を示したとみられる欄の、「製品コード」「製品名」「得意先名」「年月」の各記載とも合致している。
　してみれば、エフティ資生堂と鹿児島共和株式会社、ダイカ株式会社、及び株式会社ザ・ギンザとの間で、前記年月日に、本件商標と社会通念上同一の商標を付した商品「レザー」の取引がなされたものと推認し得るところである。
（７）「レザー」はかみそり、西洋剃刀を指す用語であり、上記の使用に係る商品「レザー」は、本件の取消請求に係る指定商品「手動利器」の範疇に属する商品というべきものである。
３　以上のとおり、被請求人は、本件審判の請求の登録前３年以内に日本国内において本件商標と社会通念上同一と認められる商標を通常使用権者が本件請求に係る指定商品について、本件商標の使用をしていたことを証明したといえるものである。
　したがって、本件商標の登録は、その指定商品中「手動利器」について、商標法第５０条第１項により、取り消すことはできない。
　よって、結論のとおり審決する。